(57)【要約】 【課題】  パネルに形成した貫通孔の内壁に対して間隙を置いて配置され、該パネル表面の方向に弾性的に変位される釦操作部を有する押し釦装置において、釦操作部が貫通孔の中央に確実に位置されると共に、円滑に操作できるものを提供することを目的とする。【解決手段】  パネル４に形成した貫通孔５の内壁５１に対して間隙６を置いて配置され、パネル４表面の方向に弾性的に変位される釦操作部３を有する押し釦装置において、合成樹脂から形成されている釦操作部３と、釦操作部３が弾性的に変位されている状態において貫通孔５の端５２に当接する前記合成樹脂で形成されて釦操作部３に設けられたフランジ７と、釦操作部３の側面３１におけるフランジ７との境界部分に所定の間隔を置いて前記合成樹脂で形成されて設けられた球状突起８と、端５２に連なり直線的な傾斜面９１を有して球状突起９が夫々挿入して係合し釦操作部３を貫通孔５の中央に位置されるように案内する複数の凹部９とを備えてなることを特徴とする。【選択図】    図１
2006134658.tif 000002
【特許請求の範囲】
【請求項１】
パネルに形成した貫通孔の内壁に対して間隙を置いて配置され、該パネル表面の方向に弾性的に変位される釦操作部を有する押し釦装置において、
合成樹脂から形成されている前記釦操作部と、
前記釦操作部が弾性的に変位されている状態において前記貫通孔の端に当接する前記合成樹脂で形成されて該釦操作部に設けられたフランジと、
前記釦操作部の側面における前記フランジとの境界部分に所定の間隔を置いて前記合成樹脂で形成されて設けられた球状突起と、
前記貫通孔の端に連なり前記内壁に向かって傾斜した傾斜面を有し、前記球状突起が夫々挿入して係合し前記釦操作部を該貫通孔の中央に位置させるように案内する複数の凹部とを備えていることを特徴とする押し釦装置。
【請求項２】
パネルに形成した貫通孔の内壁に対して間隙を置いて配置され、該パネル表面の方向に弾性的に変位される釦操作部を有する押し釦装置において、
前記釦操作部が弾性的に変位されている状態において前記貫通孔の端に当接する該釦操作部に設けられたフランジと、
前記釦操作部の側面における前記フランジとの境界部分に所定の間隔を置いて設けられた球状突起と、
前記貫通孔の端に連なり前記内壁に向かって傾斜した傾斜面を有し、前記球状突起が夫々挿入して係合し前記釦操作部を該貫通孔の中央に位置させるように案内する複数の凹部とを備えていることを特徴とする押し釦装置。
【発明の詳細な説明】
【技術分野】
【０００１】
本発明は、パネルに形成した貫通孔の内壁に対して間隙を置いて配置され、該パネル表面の方向に弾性的に変位される釦操作部を有する押し釦装置に関するものである。
【背景技術】
【０００２】
従来、電子機器を操作する押し釦装置としては、例えば下記の特許文献１で示すものが開示されている。これは、操作釦が電子機器の枠体に形成した貫通孔内にガイド部によってガイドされて移動するように取り付けられたものである。この構成は貫通孔の内周面と操作釦の側部とが接触したものである。即ち、操作釦が電子機器の枠体に一体に取り付けられたものである。
【０００３】
これに対し、例えば下記の特許文献2で示すように電子機器のキー入力装置においては、キートップが電子機器の枠体に直接取り付けられていないものがある。これは上記特許文献１で示す従来技術に比較して接触する部分がないため、少ない押圧力でキートップを押し下げられ、操作性に優れたものである。しかし、キートップ自体のぶれによって正しい位置に固定することが出来ない。
【０００４】
そこで、これらを改善した従来技術として、例えば下記の特許文献３で示すものが提案
されている。これはパネルに釦操作部を所定のクリアランスをもって摺動案内する円筒状のガイド部が設けられたものである。ガイド部は、内部のガイド穴と、その入口側のガイド穴よりも小径の抜けど止め部と、ガイド穴と抜け止め部との間に設けられて、入口側に向けて直径を漸次小さくして、最も入口側の直径が釦操作部のフランジの直径とほぼ同じであるテーパー状の突起を有する。テーパー状突起は等間隔に3個以上設けられている。通常の状態では、押し釦スイッチに内蔵されたばねにより釦操作部が上昇するように変位され、釦操作部のフランジがガイド穴の抜け止め部に当たって、その状態が保持される。この状態では、テーパー状の突起のもっとも入口側の直径が釦操作部のフランジの直径と略同じなので、がたつきがなくなるとともに、釦操作部は抜け止め部に対し自動的にセンタリングされることになり、両者間のクリアランスは全周において均等になり、見栄がよくなる。一方、操作のために釦操作部を押下すると、釦操作部のフランジは、ガイド穴とのクリアランスをもってガイド穴に摺動案内されながら移動するようになっている。
【特許文献１】特開２００４−６３３２３号公報（段落〔００２５〕〜段落〔００３０〕）
【特許文献２】特開平６−２０３６９５号公報（段落〔００１４〕）
【特許文献３】特開２０００−３１５４４４号公報（段落〔００１０〕〜段落〔００１２〕）
【発明の開示】
【発明が解決しようとする課題】
【０００５】
しかしながら、上述した特許文献１及び２で示す従来技術を改善した特許文献３で示す従来技術にあっては、フランジの角張った縁がテーパー状の突起に当たるので、食い込みを生じてしまう可能性があった。この現象は、特に釦操作部が傾くことによって発生するものである。そのため、釦操作部が復帰の際に途中で引っかかって止まってしまうという事故が発生した。また、釦操作部を押し下げる際に、こじりの現象が生じて押し下げ力が増大し円滑な操作ができないという問題点があった。
【０００６】
そこで、本発明は、パネルに形成した貫通孔の内壁に対して間隙を置いて配置され、該パネル表面の方向に弾性的に変位される釦操作部を有する押し釦装置において、上述した問題点を除去し、釦操作部が貫通孔の中央に確実に位置されると共に、円滑に操作できる押し釦装置を提供することを目的とする。
【課題を解決するための手段】
【０００７】
上記課題を解決するために、本願の請求項１に係る発明は、パネルに形成した貫通孔の内壁に対して間隙を置いて配置され、該パネル表面の方向に弾性的に変位される釦操作部を有する釦装置において、
合成樹脂から形成されている前記釦操作部と、
前記釦操作部が弾性的に変位されている状態において前記貫通孔の端に当接する前記合成樹脂で形成されて該釦操作部に設けられたフランジと、
前記釦操作部の側面における前記フランジとの境界部分に所定の間隔を置いて前記合成樹脂で形成されて設けられた球状突起と、
前記貫通孔の端に連なり前記内壁に向かって傾斜した傾斜面を有し、前記球状突起が夫々挿入して係合し前記釦操作部を該貫通孔の中央に位置させるように案内する複数の凹部とを備えていることを特徴とする。
【０００８】
また、本願の請求項２に係る発明は、パネルに形成した貫通孔の内壁に対して間隙を置いて配置され、該パネル表面の方向に弾性的に変位される釦操作部を有する押し釦装置において、
前記釦操作部が弾性的に変位されている状態において前記貫通孔の端に当接する該釦操作部に設けられたフランジと、
前記釦操作部の側面における前記フランジとの境界部分に所定の間隔を置いて設けられた球状突起と、
前記貫通孔の端に連なり前記内壁に向かって傾斜した傾斜面を有し、前記球状突起が夫々挿入して係合し前記釦操作部を該貫通孔の中央に位置させるように案内する複数の凹部とを備えていることを特徴とする。
【発明の効果】
【０００９】
本発明は上述のような構成をとることにより以下の効果を奏する。本願の請求項１に係る本発明の押し釦装置においては、下記の通りである。
【００１０】
第1に、前記釦操作部が前記貫通孔の内壁に摺接することなく自由に変位されるが、弾性的に変位された終端の位置が前記フランジの前記端への当接によって正確に決定することができる。そして、この静的な状態では、前記球状突起が凹部に案内され、前記釦操作部が前記貫通孔に対して中央に位置される。従って、釦操作部の操作が軽い力でもって操作できる状態を維持しながら、釦操作部の静的な状態での中心位置合わせが自動的に確実になされる。
【００１１】
第2に、前記球状突起が凹部に挿入して係合する状態においては、該球状突起と該凹部の直線的な傾斜面とにより面接触とならないので係合の際の摩擦抵抗が少なく、また、接触状態が該球状突起の球面により滑らかな接触となって食い込みやこじりの現象を生じない。従って、前記球状突起の前記凹部への係合、離脱が滑らかになされ、釦操作部が確実に貫通孔の中央に位置される。
【００１２】
第3に、前記球状突起が釦操作部の側面におけるフランジとの境界部分に設けられているため、凹部を浅くできるので、パネル前方から凹部が見えず美観を損なわない。
【００１３】
第４に、前記釦操作部とフランジと球状突起とが同一材料の合成樹脂であるため、これらを一体成形によって簡単に高精度に形成できる。
【００１４】
また、本願の請求項２に係る本発明の押し釦装置においては、以下の効果を有する。
【００１５】
第1に、前記釦操作部が前記貫通孔の内壁に摺接することなく自由に変位されるが、弾性的に変位された終端の位置が前記フランジの前記端への当接によって正確に決定することができる。そして、この静的な状態では、前記球状突起が凹部に案内され、前記釦操作部が前記貫通孔に対して中央に位置される。従って、釦操作部の操作が軽い力でもって操作できる状態を維持しながら、釦操作部の静的な状態での中心位置合わせが自動的に確実になされる。
【００１６】
第2に、前記球状突起が凹部に挿入して係合する状態においては、該球状突起と該凹部の直線的な傾斜面とにより面接触とならないので係合の際の摩擦抵抗が少なく、また、接触状態が該球状突起の球面により滑らかな接触となって食い込みやこじりの現象を生じない。従って、前記球状突起の前記凹部への係合、離脱が滑らかになされ、釦操作部が確実に貫通孔の中央に位置される。
【００１７】
第3に、前記球状突起が釦操作部の側面におけるフランジとの境界部分に設けられているため、凹部を浅くできるので、パネル前方から凹部が見えず美観を損なわない。
【発明を実施するための最良の形態】
【００１８】
本発明を実施するための最良の形態としては、以下に説明する実施例である。
【実施例１】
【００１９】
本発明の実施例１を図１〜図３によって説明する。図１は本発明の実施例１における押し釦装置を示す一部を断面とした側面図、図２は図１における押し釦操作部を示す斜視図、図３は図１におけるパネルを背面側から見て示す斜視図である。
【００２０】
図１で示すように、基板１上にはスイッチ２が配置されている。スイッチ２は上面に作動子２１が設けられ、この作動子２１の上下の動作によってオン、オフされる。作動子２１は常時上方に突出するように内臓されたスプリングにより弾性的に変位されている。スイッチ２の上方には、全体的に矩形形状の釦操作部３が配され、パネル４に形成された貫通孔５を通してパネル４上に臨まされている。そして、釦操作部３は、作動子２１に常時当接して弾性的に上方に変位され貫通孔５からパネル４の表面に突出されている。
【００２１】
貫通孔５は、その内壁５１と釦操作部３の側面３１との間に間隙６を有する大きさで形成されている。そして、釦操作部３が貫通孔5内を自由に上下動するようになっている。一方、釦操作部３の下方には、貫通孔５の下方の端５２に当接するフランジ７が設けられている。このフランジ７は、端５２に当接することにより釦操作部３が貫通孔５から抜け出ないためのストッパーを構成している。
【００２２】
釦操作部３の側面３１の四隅におけるフランジ７との境界上には、図２で明らかなように夫々球状突起８が設けられている。一方、内壁５１においては、図３で明らかなように球状突起８に対応する位置に端５２に連なって形成された凹部９が設けられている。この凹部９は端５２から内壁５１に向かって直線的に傾斜し湾曲面を形成する傾斜面９１でもって形成され、端５２方向に大きく開放された形状になっている。
【００２３】
球状突起８が凹部９に挿入され係合された状態においては、釦操作部３が貫通孔３の中央に位置されるように位置決めされている。一方、この状態において、フランジ７は端５２に当接している。即ち、フランジ７が端５２に当接して釦操作部３の上方への変位位置が定まる際に、釦操作部３は球状突起８が凹部９内に挿入されているので貫通孔５の中央位置に位置決めされる。
【００２４】
釦操作部３とフランジ７と球状突起８とは同一材料の合成樹脂で一体成形によって形成する。
【００２５】
次に、上述した本発明の実施例１の構成による動作説明する。釦操作部３は、図１で示すように、常時、作動子２１によって弾性的に上方に変位されている。そして、釦操作部３はフランジ７が端５２に当接することによって貫通孔５から抜け出ない。この状態で夫々の球状突起８が夫々の凹部９に挿入して係合されているので、釦操作部３は、貫通孔５内で中央に位置される。球状突起８の凹部9内への挿入状態は互いに接触すすかしないかの状態である。例え接触したとしても、フランジ７がストッパーの役目を果たしているので小さな圧力で接している。
【００２６】
このように釦操作部３がパネル４の表面方向に位置され、同時に貫通孔５の中央に位置されている状態から、使用者が指でもって釦操作部３を押し下げると、作動子２１がスプリングの弾性力に逆らって下方に変位してスイッチ２のオン、オフの転換を行なう。その後、指による押し下げ状態を解除すると、作動子２１がスプリングによって上方に変位しスイッチ２のオン、オフを元の状態に復帰させると共に、釦操作部３を上方に押し上げる。上方に押し上げられた釦操作部３はフランジ７が端５２に当接することによってその位置に留まる。同時に、夫々の球状突起８が夫々の凹部９に挿入して係合され、釦操作部３は貫通孔５内で中央に位置される。
【００２７】
球状突起８が凹部９の傾斜面９１に当接する状態は、湾曲した球面が線接触で接するため摩擦力が少なく又こじるような現象が発生しない。そのため、釦操作部３は水平状態を維持しながら貫通孔５の中央に滑らかに移動して位置決めされる。釦操作部３は押し下げられるときにも、球状突起８が凹部９から滑らかに離脱するので押し下げ動作が円滑になされる。
【００２８】
上述した実施例１によれば、釦操作部３は貫通孔５内でその内部５１との間に間隙６をもって配されているため、自由に上下動できる。そして、常時は作動子２１による押し上げる力によって上方に変位されるが、その上方位置がフランジ７の貫通孔５の端５２への当接によって位置決めされる。同時に球状突起８が凹部９内に挿入するので釦操作部３が貫通孔５の中央に位置される。そして、球状突起８が凹部９に挿入して係合する際には、球状突起８と凹部９の直線的な傾斜面とにより面接触とならないので係合の際の摩擦抵抗が少なく、また、接触状態が球状突起８の球面により食い込みやこじりの現象を生じない。従って、球状突起８の凹部９への係合、離脱が滑らかになされ、釦操作部３が貫通孔５に対して確実に中央に位置される。
【００２９】
また、球状突起８が釦操作部３の側面３１におけるフランジ７との境界部分に設けられているため、凹部９を浅くできる。そのため、凹部９はパネル４の前方から見えない。
【００３０】
また、釦操作部３とフランジ７と球状突起８とは同一材料の合成樹脂で一体成形によって形成するので、簡単に高精度のものが得られる。
【実施例２】
【００３１】
次に、本発明の実施例２について凹部を拡大して示した図４によって説明するが、前述した実施例１と同一部分は同一符号を付しその説明を省略する。凹部９０１は平面的な複数の傾斜面９０２によって形成されており、端部５２方向に大きく開放された形状になっている。そして、この傾斜面９０２に球状突起８が当接するようになっている。そのため、この当接状態は、球状突起８の湾曲した面が傾斜面９０２に点接触するため、滑らかな接触となって食い込みやこじりの現象を生じない。従って、球状突起８の凹部９０１への係合、離脱が滑らかになされ、釦操作部３が確実に貫通孔５に対して中央に位置される。
【実施例３】
【００３２】
また、本発明の実施例３を図５によって説明する。これは釦操作部３が長方形であって、その夫々の辺の中間部分に球状突起８を設けたものである。このように四辺に球状突起８を設けることにより、釦操作部３がバランスよく貫通孔５の中央に位置決めされるようになっている。また、長手方向の辺には複数の球状突起８を設けることにより、より確実な位置決めを行なうことができる。
【実施例４】
【００３３】
また、本発明の実施例４を図６によって説明する。これは釦操作部３が円形であって、その側面に等間隔に3個の球状突起８を設けたものである。このように等間隔に3個の球状突起８を設けることにより、釦操作部３がバランスよく貫通孔５の中央に位置決めされるようになっている。この個数は釦操作部３の面積が大きい場合等は必要に応じて増加すればよい。
【実施例５】
【００３４】
また、本発明の実施例５を図７によって説明する。これは釦操作部３が楕円形であって、その側面に所定の間隔をおいて互いに対向して対となる複数個の球状突起３を設けたものである。このように互いに対向して対となるように球状突起８を設けることにより、釦操作部３がバランスよく貫通孔５の中央に位置決めされるようになっている。
【００３５】
尚、上述した本発明の実施例１においては、釦操作部３は作動子２１に当接されるように構成された押し釦装置に適用したが、これに限定されることなく、ラバースプリング、板ばね等のそれ自体に弾性力を有する部材に釦操作部が当接された構成の押し釦装置に適用することができる。
【００３６】
尚、また、上述した本発明の実施例１においては、球状突起８は釦操作部３の側面３１におけるフランジ７との境界上に設けたが、これに限定されることなく境界から若干上方の境界部分に相当する位置に設けるようにしてもよい。
【図面の簡単な説明】
【００３７】
【図１】図１は、本発明の実施例１における押し釦装置の一部を断面として示す側面図である。
【図２】図２は、本発明の実施例１における釦操作部を示す斜視図である。
【図３】図３は、本発明の実施例１における貫通孔部分を背面から見た斜視図である。
【図４】図４は、本発明の実施例２における凹部を拡大して示す斜視図である。
【図５】図５は、本発明の実施例３における釦操作部を示すの平面である。
【図６】図６は、本発明の実施例４における釦操作部を示すの平面である。
【図７】図７は、本発明の実施例５における釦操作部を示すの平面である。
【符号の説明】
【００３８】
１            基板      
２            スイッチ  
３            釦操作部
４            パネル    
５            貫通孔
６            間隙
７            フランジ    
８            球状突起
９            凹部
２１          作動子
３１          側面
５１          内壁    
５２          端
９１          傾斜面
【図１】
2006134658.tif 000003
【図２】
2006134658.tif 000004
【図３】
2006134658.tif 000005
【図４】
2006134658.tif 000006
【図５】
2006134658.tif 000007
【図６】
2006134658.tif 000008
【図７】
2006134658.tif 000009